(57)【要約】【課題】金属リングを省いて部品コストを低減すると共に、すっきりした外観となる有孔パネル取付け用吊り具を提供するものである。【解決手段】Ｕ形のフック部１０の一方の上端を折曲して有孔パネル２の孔１１に挿着して係止する係止部１２を形成した有孔パネル取付けフック８の、前記Ｕ形のフック部１０の中央に上下に貫通するワイヤ貫通孔２０を形成し、ワイヤ１５と、これが上下に貫通してワイヤ１５の任意の高さで停止するストッパー１６を設けたストッパー付きフック１７とで形成されたワイヤフック１４の、ワイヤ１５の上端を、前記Ｕ形のフック部１０のワイヤ貫通孔２０に貫通して上端を係止したものである。【選択図】  図１
0003158751.tif 000002
【実用新案登録請求の範囲】
【請求項１】
Ｕ形のフック部の一方の上端を折曲して有孔パネルの孔に挿着して係止する係止部を形成した有孔パネル取付けフックの、前記Ｕ形のフック部の中央に上下に貫通するワイヤ貫通孔を形成し、ワイヤと、これが上下に貫通してワイヤの任意の高さで停止するストッパーを設けたストッパー付きフックとで形成されたワイヤフックの、ワイヤの上端を、前記Ｕ形のフック部のワイヤ貫通孔に貫通して上端を係止したことを特徴とする有孔パネル取付け用吊り具。
【請求項２】
ワイヤに、複数個のストッパー付きフックを取付けたことを特徴とする請求項１記載の有孔パネル取付け用吊り具。
【考案の詳細な説明】
【技術分野】
【０００１】
本考案は、有孔パネルに取付けるワイヤフックの取付け構造を改良した有孔パネル取付け用吊り具に関するものである。
【背景技術】
【０００２】
一般に、絵画や写真、書などを展示する公共団体の住民センターや体育館などで行なわれる美術展は開催期間が短く、各種の催しも行なわれることから、組立式の展示パネルを鑑賞順路に沿って組立て、終了後は展示パネルをパネルとスタンドに分解して保管している。
【０００３】
この組立式の展示パネル１は図３に示すように、長方形状をなす有孔パネル２の左右両側を角パイプで形成されたスタンド３に着脱自在に係合させ、交互に有孔パネル２…とスタンド３…を組合せて壁状の展示面を形成するものである。この連結構造としては例えば図４に示すように、有孔パネル２の周縁に所定の間隔で逆テーパー状の突起部４を突設し、これと対向するスタンド３の側面に逆だるま状（上部はＵ字形）の挿着孔５を開口し、ここに着脱自在に係合させて組立、分解するものである（特許文献１）。またこれとは逆にスタンド３に突起部４を突設し、有孔パネル２の周縁に挿着孔５を形成した係合構造のものもある。
【０００４】
この有孔パネル２を用いた展示パネル１に額７を吊す場合、従来は図５に示すように有孔パネル取付けフック８を用いて吊していた。この有孔パネル取付けフック８はＵ形のフック部１０の一方の上端を折曲して有孔パネル２の孔１１に挿着して係止する係止部１２を形成したものである。この有孔パネル取付けフック８の係止部１２を有孔パネル２の孔１１に挿入して有孔パネル２に固定し、このＵ形のフック部１０に上段の額７の吊り紐１３を掛けて額７を吊している。
【０００５】
また下段の額７を吊す場合には、前記有孔パネル取付けフック８のＵ形のフック部１０にワイヤフック１４を掛けて、ここに吊している。ワイヤフック１４は、ワイヤ１５と、これが上下に貫通してワイヤ１５の任意の高さで停止するストッパー１６を設けたＪ形のストッパー付きフック１７と、ワイヤ１５の上端に連結した金属リング１８とで形成されている。この金属リング１８を有孔パネル取付けフック８のＵ形のフック部１０に引っ掛けて吊し、Ｊ形のストッパー付きフック１７の高さを調整して、ここに下段の額７の吊り紐１３を掛けて吊している。
【０００６】
しかしながら従来のワイヤフック１４は、金属リング１８があり、部品点数が増え、製造コストも高くなり、しかもＵ形のフック部１０に取付けているのでパネル正面からも見え外観が悪い問題はあった。
【先行技術文献】
【特許文献】
【０００７】
【特許文献１】特開平５ー２６６２０
【考案の概要】
【考案が解決しようとする課題】
【０００８】
本考案は上記問題を改善し、金属リングを省いて部品コストを低減すると共に、すっきりした外観となる有孔パネル取付け用吊り具を提供するものである。
【課題を解決するための手段】
【０００９】
本考案の請求項１記載の有孔パネル取付け用吊り具は、Ｕ形のフック部の一方の上端を折曲して有孔パネルの孔に挿着して係止する係止部を形成した有孔パネル取付けフックの、前記Ｕ形のフック部の中央に上下に貫通するワイヤ貫通孔を形成し、ワイヤと、これが上下に貫通してワイヤの任意の高さで停止するストッパーを設けたストッパー付きフックとで形成されたワイヤフックの、ワイヤの上端を、前記Ｕ形のフック部のワイヤ貫通孔に貫通して上端を係止したことを特徴とするものである。
【００１０】
本考案の請求項２記載の有孔パネル取付け用吊り具は、請求項１において、ワイヤに、複数個のストッパー付きフックを取付けたことを特徴とするものである。
【考案の効果】
【００１１】
本考案に係る請求項１記載の有孔パネル取付け用吊り具によれば、Ｕ形のフック部とワイヤフックが一体に連結されているので、従来の金属リングが不要となり、部品点数を削減して製造コストを安くすることができ、また金属リングがないので、展示パネルの正面もすっきりした外観となる。
【００１２】
また請求項２記載の有孔パネル取付け用吊り具によれば、ワイヤに、複数個のストッパー付きフックを取付けたので、額などを複数段に展示することができる。
【考案を実施するための最良の形態】
【００１３】
以下本考案の実施の一形態を図１および図２を参照して詳細に説明する。この有孔パネル取付け用吊り具は、有孔パネル取付けフック８とワイヤフック１４を連結した構造で、有孔パネル取付けフック８は、Ｕ形のフック部１０と、その一方の上端をＬ形に折曲し、更にこれと直交してＬ形に折曲した係止部１２と、Ｕ形のフック部１０の中央に上下に貫通するワイヤ貫通孔２０とで構成されている。
【００１４】
またワイヤフック１４は、ワイヤ１５と、これが上下に貫通してワイヤ１５の任意の高さで停止するストッパー１６を設けたＪ形のストッパー付きフック１７と、前記Ｕ形のフック部１０のワイヤ貫通孔２０を貫通したワイヤ１５の先端にカシメられた抜け止め金具２１とで構成されている。
【００１５】
上記構成の有孔パネル取付け用吊り具は、有孔パネル取付けフック８とワイヤフック１４が、Ｕ形のフック部１０のワイヤ貫通孔２０に貫通させたワイヤ１５で一体に連結されている。使用する場合は、有孔パネル取付けフック８の折曲した係止部１２を、有孔パネル２の円形の孔１１の内側に挿入してＵ形のフック部１０を有孔パネル２の前面に固定する。このＵ形のフック部１０に上段の額７の吊り紐１３を掛けて額７を吊す。
【００１６】
また下段の額７を吊す場合には、Ｕ形のフック部１０に一体に連結されたＪ形のストッパー付きフック１７の高さを調整して、ここに下段の額７の吊り紐１３を掛けて吊す。
【００１７】
従って上記構造の有孔パネル取付け用吊り具は、有孔パネル取付けフック８とワイヤフック１４が一体に連結されているので、従来のように金属リング１８が不要となり、部品点数を削減して製造コストを安くすることができる。また従来のように金属リング１８がないので、展示パネル１の正面もすっきりした外観となり、展示作品に影響を及ぼすことがない。
【００１８】
また額７を上段、中段、下段の３段に展示する場合には、図２に示すようにワイヤ１５に２個のストッパー付きフック１７、１７を取付ける。上段の額７はＵ形のフック部１０に、中段の額７は上部のストッパー付きフック１７に、下段の額７は下部のストッパー付きフック１７に吊せば良い。
【産業上の利用可能性】
【００１９】
なお上記説明では有孔パネル２を用いた展示パネル１に取付ける場合について示したが、台所に有孔パネル２を取付けここに調理器具を吊す場合などにも広く利用することができる。
【図面の簡単な説明】
【００２０】
【図１】本考案の実施の一形態による有孔パネル取付け用吊り具を用いて展示パネルに額を吊り下げた状態を示す斜視図である。
【図２】本考案の他の実施の形態による２個のストッパー付きフックを取付けた有孔パネル取付け用吊り具を用いて展示パネルに３段に額を吊り下げた状態を示す正面図である。
【図３】額を吊した展示パネルの正面図である。
【図４】有孔パネルとスタンドの連結部分を拡大して示す斜視図である。
【図５】従来の有孔パネル取付けフックとワイヤフックを用いて、展示パネルに額を吊り下げた状態を示す正面図である。
【符号の説明】
【００２１】
１    展示パネル                                            
２    有孔パネル                                            
３    スタンド                                              
４    突起部                                                
５    挿着孔                                                
７    額                                                    
８    有孔パネル取付けフック                                
１０  Ｕ形のフック部                                        
１１  孔                                                    
１２  係止部                                                
１３  吊り紐                                                
１４  ワイヤフック                                          
１５  ワイヤ                                                
１６  ストッパー                                            
１７  ストッパー付きフック                                  
１８  金属リング                                            
２０  ワイヤ貫通孔                                          
２１  抜け止め金具                                          
【図１】
0003158751.tif 000003
【図２】
0003158751.tif 000004
【図３】
0003158751.tif 000005
【図４】
0003158751.tif 000006
【図５】
0003158751.tif 000007